(57)【要約】【課題】従来のＴＤ−ＳＣＤＭＡ端末機の送受信機回路において自動制御信号伝達のための信号ラインを除去することで、回路設計が容易で、ＰＣＢライティングを単純化し得るＴＤ−ＳＣＤＭＡ端末機の自動制御装置を提供しようとする。【解決手段】時分割二重化（ＴＤＤ）方式移動通信システム用移動端末機において、基地局から受信された制御情報を利用して自動制御信号を発生させて前記移動端末機の受信モード時に前記自動制御信号を該当素子に伝達するベースバンドモデムを包含して移動端末機の自動制御システムを包含してを製造する。【選択図】  図１
2004173223.tif 000002
【特許請求の範囲】
【請求項１】
時分割二重化（ＴＤＤ）方式移動通信システム用移動端末機において、基地局から受信された制御情報を利用して自動制御信号を発生させて前記移動端末機の受信モード時に前記自動制御信号を該当素子に伝達するベースバンドモデムを包含することを特徴とする移動端末機の自動制御システム。
【請求項２】
前記自動制御信号は、アナログ信号であることを特徴とする請求項１記載の移動端末機の自動制御システム。
【請求項３】
前記自動制御信号は、自動電力制御（ＡＰＣ）信号、自動利得制御（ＡＧＣ）信号及び自動周波数制御ＡＦＣ信号を包含して構成されることを特徴とする請求項２記載の移動端末機の自動制御システム。
【請求項４】
前記ベースバンドモデムは、
送信されるデジタルデータをアナログデータに変換し、受信されたアナログデータをデジタルデータに変換するためのコンバータと、
該コンバータを制御するための制御ユニットと、
を包含して構成されることを特徴とする請求項１記載の移動端末機の自動制御システム。
【請求項５】
前記ベースバンドモデムからの自動制御信号を利用して送信チャンネルの品質を制御するＲＦ処理モジュールがさらに包含されることを特徴とする請求項１記載の移動端末機の自動制御システム。
【請求項６】
前記ベースバンドモデムは、
送信されるデジタルデータをアナログデータに変換し、受信されたアナログデータをデジタルデータに変換するためのコンバータと、
該コンバータを制御するための制御ユニットと、
を包含して構成されることを特徴とする請求項５記載の移動端末機の自動制御システム。
【請求項７】
前記ＲＦ処理モジュールは、
前記移動端末機のアンテナを通して受信されたデータを処理して前記ベースバンドモデムに伝達して該ベースバンドモデムからの伝達を受けた送信データを処理してアンテナを通して伝送するための送受信ユニットと、
発振周波数を生成するための発振器と、
前記ベースバンドモデムから伝達される自動制御信号の種類を判断して送受信ユニットと発振器に選択的に伝達するためのスイッチと、
を包含して構成されることを特徴とする請求項６記載の移動端末機自動制御システム。
【請求項８】
前記自動制御信号は、自動電力制御信号、自動利得制御信号及び自動周波数制御信号を包含して構成されることを特徴とする請求項７記載の移動端末機の自動制御システム。
【請求項９】
前記自動電力制御信号、自動利得制御信号及び自動周波数制御信号は、送信データラインを通してＲＦ処理モジュールに伝達されることを特徴とする請求項８記載の移動端末機の自動制御システム。
【請求項１０】
前記スイッチは、自動周波数制御信号を発振器に伝達し、自動電力制御信号及び自動利得制御信号は前記送受信ユニットに伝達することを特徴とする請求項９記載の移動端末機の自動制御システム。
【請求項１１】
時分割二重化（ＴＤＤ）方式移動通信システム用移動端末機において、
送信チャンネルの品質を制御するＲＦ処理モジュールと、
該ＲＦ処理モジュール、送信データライン及び受信データラインに連結されていて基地局から受信された制御情報を利用して自動制御信号を発生させて移動端末機の受信モード時に前記自動制御信号を前記送信データラインを通して前記ＲＦ処理モジュールに伝送するベースバンドモデムと、
から成ることを特徴とする移動端末機の自動制御システム。
【請求項１２】
前記ベースバンドモデムは、
送信されるデジタルデータをアナログデータに変換し、受信されたアナログデータをデジタルデータに変換するためのコンバータと、
該コンバータを制御するための制御ユニットと、
を包含して構成されることを特徴とする請求項１１記載の移動端末機の自動制御システム。
【請求項１３】
前記ＲＦ処理モジュールは、
前記移動端末機のアンテナを通して受信されたデータを処理して前記ベースバンドモデムに伝達して前記ベースバンドモデムからの伝達を受けた送信データを処理してアンテナを通して伝送するための送受信ユニットと、
発振周波数を生成するための発振器と、
前記ベースバンドモデムからの自動制御信号の種類を判断して送受信ユニットと発振器に選択的に伝達するためのスイッチと、
を包含して構成されることを特徴とする請求項１２記載の移動端末機の自動制御システム。
【請求項１４】
前記自動制御信号は、自動電力制御信号、自動利得制御信号及び自動周波数制御信号を包含して構成されることを特徴とする請求項１３記載の移動端末機の自動制御システム。
【請求項１５】
前記スイッチは、自動周波数制御信号を発振器に伝達し、自動電力制御信号及び自動利得制御信号は前記送受信ユニットに伝達することを特徴とする請求項１４記載の移動端末機の自動制御システム。
【請求項１６】
ベースバンドモデム及びＲＦ処理モジュールを包含する時分割二重化ＴＤＤ方式移動通信システム用移動端末機において、
移動端末機の送受信モードを判断する段階と、
移動端末機が受信モードに進入すると、上位階層からの自動制御命令があるかを判断する段階と、
上位階層から自動制御命令があると、自動制御命令によって前記ベースバンドモデムがアナログ自動制御信号を生成する段階と、
アナログ自動制御信号をＲＦ処理モジュールに伝達する段階と、
前記自動制御信号に基づいて送信チャンネルの品質を設定する段階と、
を順次行うことを特徴とする移動端末機の自動制御方法。
【請求項１７】
前記自動制御信号は、前記ベースバンドモデムとＲＦ処理モジュールとを連結する送信データラインを通して伝達されることを特徴とする請求項１６記載の移動端末機の自動制御方法。
【請求項１８】
前記移動端末機が送信モードに転換される前にＲＦ処理モジュールに伝達されることを特徴とする請求項１７記載の移動端末機の自動制御方法。
【請求項１９】
前記自動制御信号は、自動電力制御信号、自動利得制御信号及び自動周波数制御信号を包含して構成されることを特徴とする請求項１８記載の移動端末機の自動制御方法。
【請求項２０】
前記自動制御信号の種類を判断する段階が一層包含される請求項１９記載の移動端末機の自動制御方法。
【請求項２１】
前記自動制御信号が自動電力制御信号或いは自動利得制御信号であると、送受信ユニットの該当素子にスイッチングし、自動周波数制御信号であると、発振器にスイッチングすることを特徴とする請求項２０記載の移動端末機の自動制御方法。
【発明の詳細な説明】
【０００１】
【発明の属する技術分野】
本発明は、移動通信システムに係るもので、詳しくは、ＴＤ−ＳＣＤＭＡ端末機の自動制御装置及びその方法に関するものである。
【０００２】
【従来の技術】
一般に、移動通信システムにおいては、セル内の遠近問題（ｎｅａｒ／ｆａｒｐｒｏｂｌｅｍ）を克服して加入者の受容容量を最大化するため、基地局は、逆方向リンク（Ｕｐｌｉｎｋ）を電力制御を遂行する。逆方向リンク電力制御には、逆方向開放ループ電力制御（ｏｐｅｎ  ｌｏｏｐ  ｐｏｗｅｒ  ｃｏｎｔｒｏｌ）及び逆方向閉鎖ループ電力制御（ｃｌｏｓｅｄ  ｌｏｏｐ  ｐｏｗｅｒ  ｃｏｎｔｒｏｌ）がある。逆方向開放ループ電力制御における端末機の送信電力は、基地局が総ＣＤＭＡチャンネルに受信される電力を測定してその平均値により決定される。開放ループ電力制御による逆方向チャンネルの送信初期化後には、閉鎖ループ電力制御に転換されて基地局から受信される電力制御信号により端末機の送信電力が決定される。
【０００３】
ＴＤ−ＳＣＤＭＡシステムに適用されるフレームフォーマットにおいては、図３に示したように、一つのラジオフレームは、二つの下位フレーム（ｓｕｂ−ｆｒａｍｅ）から構成され、又、一つの下位フレームは、複数のタイムスロット（ｔｉｍｅ  ｓｌｏｔ）から構成される。ＴＰＣシンボルは、下位フレーム周期に特定タイムスロットに乗せられて移動端末機に伝送され、自動制御信号伝送のための送信電力制御（ｔｒａｎｓｍｉｔ  ｐｏｗｅｒ  ｃｏｎｔｒｏｌ：ＴＰＣ）シンボルが挿入されたタイムスロットが例示されている。
【０００４】
一方、移動端末機は、閉鎖ループ電力制御過程において基地局から受信された電力制御信号に基づいて端末機自体の送信電力を調節する。
【０００５】
一般に、移動端末機の伝送チャンネルの品質を制御するためには、三つの自動制御信号である送信電力を制御するための自動電力制御（ａｕｔｏｍａｔｉｃ  ｐｏｗｅｒ  ｃｏｎｔｒｏｌ：ＡＰＣ）信号、受信電力を制御するための自動利得制御（ａｕｔｏｍａｔｉｃ  ｇａｉｎ  ｃｏｎｔｒｏｌ：ＡＧＣ）信号及び基準周波数の小さい変化を補償するための自動周波数制御（ａｕｔｏｍａｔｉｃ  ｆｒｅｑｕｅｎｃｙ  ｃｏｎｔｒｏｌ：ＡＦＣ）信号が利用される。
【０００６】
このような各自動制御信号は、移動端末機の上位アプリケーションによりベースバンドモデムで生成されてＲＦ処理モジュールの送受信ユニットに伝達される。  従来のＴＤ−ＳＣＤＭＡ送受信機の自動制御装置においては、図４に示したように、ベースバンドモデム２０及びＲＦ処理モジュール１０から成る。アンテナを通して受信されたデータは、前記ＲＦ処理モジュール１０のＬＮＡ、ミキサー、ＩＦ  ＶＧＡ、ＩＱデコーダを通して処理された後、前記ベースバンドモデム２０に伝達され、送信するデータは、前記ベースバンドモデム２０により変調されて前記ＲＦ処理モジュール２０に伝達されてＲＦ処理モジュール２０を構成するＩＱコーダー、ＩＦミキサー及びＶＧＡ（Ｖａｒｉａｂｌｅ  ｇａｉｎ  ａｍｐｌｉｆｉｅｒ）により処理されたアンテナを通して伝送される。
【０００７】
図４に示したように、前記ベースバンドモデム２０の制御ユニット２２で処理された送信データは、ＡＤＣ／ＤＡＣインターフェース２５を通して前記ＲＦ処理モジュール１０の送受信ユニット１２に伝送されて該送受信ユニット１２で処理された受信データは、前記ＡＤＣ／ＤＡＣインターフェース２５を通して前記ベースバンドモデム２０の制御ユニット２２に伝達される。
【０００８】
又、前記ベースバンドモデム２０の制御ユニット２２は、各自動制御信号を生成して各制御信号伝送のために別途に設置されている各制御ライン３１、３２、３３を通して前記ＲＦ処理モジュール１０に伝送する。前記各制御信号は、パルス幅変調方式（ｐｕｌｓｅ  ｗｉｄｔｈ  ｍｏｄｕｌａｔｉｏｎ：ＰＷＭ）により生成されて前記ＲＦ処理モジュール１０とベースバンドモデム２０間に位置した低域通過フィルター（Ｌｏｗ  Ｐａｓｓ  Ｆｉｌｔｅｒ：ＬＰＦ）３０によりＤＣ信号に変換された後、ＡＧＣ及びＡＰＣは前記送受信ユニット１２に、ＡＦＣはオシレーター（発振器）１７に伝達される。
【０００９】
【発明が解決しようとする課題】
然るに、このような従来の制御信号伝送装置においては、各制御信号を伝達するために三つの信号ラインを設置しなければならないため、ＰＣＢ上の配線が複雑になり、ＰＣＢライティングにも神経を使わなければならないという不都合な点があった。
【００１０】
又、前記自動制御信号は、一般に、ＰＷＭ信号であるため、ＰＷＭ信号をＤＣ信号に変換するためにフィルターが必要で、受動素子から構成されるフィルターは、ＩＣチップの内部に具現することが極めて難しいため、抵抗及びコンデンサなどの受動素子を利用してＲＦ処理モジュールの外部に別途の低域通過フィルター（ＬＰＦ）を追加しなければならないという不都合な点があった。
【００１１】
本発明は、このような従来の課題に鑑みてなされたもので、従来のＴＤ−ＳＣＤＭＡ端末機の送受信機回路における自動制御信号伝達のための信号ラインを除去することで、回路設計が容易で、ＰＣＢライティングを単純化し得るＴＤ−ＳＣＤＭＡ端末機の自動制御装置を提供することを目的とする。
【００１２】
又、制御信号をＡＤＣ／ＤＡＣインターフェースを通してアナログ信号に変換してＲＦ処理モジュールに伝送することで、ＰＷＭ信号をＤＣに変換するためのフィルターを除去し得ると共に、制御信号処理のための全ての素子をＲＦ処理モジュールに統合して一つのチップに具現し得るＴＤ−ＳＣＤＭＡ端末機の自動制御装置を提供することを目的とする。
【００１３】
【課題を解決するための手段】
本発明の移動端末機の自動制御システムは、時分割二重化（ＴＤＤ）方式移動通信システム用移動端末機において、基地局から受信された制御情報を利用して自動制御信号を発生させて前記移動端末機の受信モード時に前記自動制御信号を該当素子に伝達するベースバンドモデムを包含することを特徴とする。
【００１４】
前記自動制御信号は、アナログ信号であることを特徴とする。
【００１５】
前記自動制御信号は、自動電力制御（ＡＰＣ）信号、自動利得制御（ＡＧＣ）信号及び自動周波数制御ＡＦＣ信号を包含して構成されることを特徴とする。
【００１６】
前記ベースバンドモデムは、送信されるデジタルデータをアナログデータに変換し、受信されたアナログデータをデジタルデータに変換するためのコンバータと、該コンバータを制御するための制御ユニットと、を包含して構成されることを特徴とする。
【００１７】
前記ベースバンドモデムからの自動制御信号を利用して送信チャンネルの品質を制御するＲＦ処理モジュールがさらに包含されることを特徴とする。
【００１８】
前記ベースバンドモデムは、送信されるデジタルデータをアナログデータに変換し、受信されたアナログデータをデジタルデータに変換するためのコンバータと、該コンバータを制御するための制御ユニットと、を包含して構成されることを特徴とする。
【００１９】
前記ＲＦ処理モジュールは、前記移動端末機のアンテナを通して受信されたデータを処理して前記ベースバンドモデムに伝達して該ベースバンドモデムからの伝達を受けた送信データを処理してアンテナを通して伝送するための送受信ユニットと、発振周波数を生成するための発振器と、前記ベースバンドモデムから伝達される自動制御信号の種類を判断して送受信ユニットと発振器に選択的に伝達するためのスイッチと、を包含して構成されることを特徴とする。
【００２０】
前記自動制御信号は、自動電力制御信号、自動利得制御信号及び自動周波数制御信号を包含して構成されることを特徴とする。
【００２１】
前記自動電力制御信号、自動利得制御信号及び自動周波数制御信号は、送信データラインを通してＲＦ処理モジュールに伝達されることを特徴とする。
【００２２】
前記スイッチは、自動周波数制御信号を発振器に伝達し、自動電力制御信号及び自動利得制御信号は前記送受信ユニットに伝達することを特徴とする。
【００２３】
本発明の移動端末機の自動制御システムは、時分割二重化（ＴＤＤ）方式移動通信システム用移動端末機において、送信チャンネルの品質を制御するＲＦ処理モジュールと、該ＲＦ処理モジュール、送信データライン及び受信データラインに連結されていて基地局から受信された制御情報を利用して自動制御信号を発生させて移動端末機の受信モード時に前記自動制御信号を前記送信データラインを通して前記ＲＦ処理モジュールに伝送するベースバンドモデムと、から成ることを特徴とする。
【００２４】
前記ベースバンドモデムは、送信されるデジタルデータをアナログデータに変換し、受信されたアナログデータをデジタルデータに変換するためのコンバータと、該コンバータを制御するための制御ユニットと、を包含して構成されることを特徴とする。
【００２５】
前記ＲＦ処理モジュールは、前記移動端末機のアンテナを通して受信されたデータを処理して前記ベースバンドモデムに伝達して前記ベースバンドモデムからの伝達を受けた送信データを処理してアンテナを通して伝送するための送受信ユニットと、発振周波数を生成するための発振器と、前記ベースバンドモデムからの自動制御信号の種類を判断して送受信ユニットと発振器に選択的に伝達するためのスイッチと、を包含して構成されることを特徴とする。
【００２６】
前記自動制御信号は、自動電力制御信号、自動利得制御信号及び自動周波数制御信号を包含して構成されることを特徴とする。
【００２７】
前記スイッチは、自動周波数制御信号を発振器に伝達し、自動電力制御信号及び自動利得制御信号は前記送受信ユニットに伝達することを特徴とする。
【００２８】
本発明の移動端末機の自動制御方法は、ベースバンドモデム及びＲＦ処理モジュールを包含する時分割二重化ＴＤＤ方式移動通信システム用移動端末機において、移動端末機の送受信モードを判断する段階と、移動端末機が受信モードに進入すると、上位階層からの自動制御命令があるかを判断する段階と、上位階層から自動制御命令があると、自動制御命令によって前記ベースバンドモデムがアナログ自動制御信号を生成する段階と、アナログ自動制御信号をＲＦ処理モジュールに伝達する段階と、前記自動制御信号に基づいて送信チャンネルの品質を設定する段階と、を順次行うことを特徴とする。
【００２９】
前記自動制御信号は、前記ベースバンドモデムとＲＦ処理モジュールとを連結する送信データラインを通して伝達されることを特徴とする。
【００３０】
前記移動端末機が送信モードに転換される前にＲＦ処理モジュールに伝達されることを特徴とする。
【００３１】
前記自動制御信号は、自動電力制御信号、自動利得制御信号及び自動周波数制御信号を包含して構成されることを特徴とする。
【００３２】
前記自動制御信号の種類を判断する段階が一層包含される。
【００３３】
前記自動制御信号が自動電力制御信号或いは自動利得制御信号であると、送受信ユニットの該当素子にスイッチングし、自動周波数制御信号であると、発振器にスイッチングすることを特徴とする。
【００３４】
このような目的を達成するため、本発明に係る移動端末機自動制御システムにおいては、基地局から受信された制御情報を利用して自動制御信号を発生させて前記移動端末機の受信モード時にアナログ前記自動制御信号を該当素子に伝達するベースバンドモデムを包含することを特徴とする。
【００３５】
又、前記自動制御システムは、前記ベースバンドモデムからの自動制御信号を利用して送信チャンネルの品質を制御するＲＦ処理モジュールが一層包含されることを特徴とする。
【００３６】
又、前記ベースバンドモデムは、送信されるデジタルデータをアナログデータに、受信されたアナログデータをデジタルデータに変換するためのコンバータ及び該コンバータを制御するための制御ユニットを包含することを特徴とする。
【００３７】
又、前記ＲＦ処理モジュールは、前記移動端末機のアンテナを通して受信されたデータを処理して前記ベースバンドモデムに伝達し、該ベースバンドモデムからの伝達を受けた送信データを処理してアンテナを通して伝送するための送受信ユニット、発振周波数を生成するための発振器及び前記ベースバンドモデムからの自動制御信号の種類を判断して送受信ユニットと発振器に選択的に伝達するためのスイッチから成ることを特徴とする。
【００３８】
又、前記自動制御信号は、自動電力制御信号、自動利得制御信号及び自動周波数制御信号を包含し、前記スイッチは、自動周波数制御信号を発振器に伝達し、自動電力制御信号及び自動利得制御信号は前記送受信ユニットの該当素子に伝達することを特徴とする。
【００３９】
又、ベースバンドモデム及びＲＦ処理モジュールを包含する時分割二重化（ＴＤＤ）方式移動通信システム用移動端末機において、本発明に係る移動端末機の自動制御方法は、移動端末機の送受信モードを判断する段階と、移動端末機が受信モードに進入すると、上位階層からの自動制御命令があるかを判断する段階と、上位階層から自動制御命令があると、自動制御命令によって前記ベースバンドモデムがアナログ自動制御信号を生成する段階と、アナログ自動制御信号をＲＦ処理モジュールに伝達する段階と、前記自動制御信号に基づいて送信チャンネルの品質を設定する段階と、を順次行うことを特徴とする。
【００４０】
又、前記自動制御信号は、前記移動端末機が送信モードに転換される前に前記ベースバンドモデムとＲＦ処理モジュールとを連結する送信データラインを通してＲＦ処理モジュールに伝達されることを特徴とする。
【００４１】
又、本発明に係る移動端末機自動制御方法は、前記自動制御信号の種類を判断する段階が一層包含され、前記自動制御信号は、自動電力制御信号、自動利得制御信号及び自動周波数制御信号を包含することを特徴とする。又、前記自動制御信号が自動電力制御信号或いは自動利得制御信号であると、前記スイッチは、送受信ユニットの該当素子にスイッチングし、自動周波数制御信号であると、発振器にスイッチングすることを特徴とする。
【００４２】
【発明の実施の形態】
以下、本発明の実施の形態に対し、図面を用いて説明する。
【００４３】
前記のような目的を達成するため、一般に、ＴＤ−ＳＣＤＭＡのように時分割二重化（ｔｉｍｅ  ｄｉｖｉｓｉｏｎ  ｄｕｐｌｅｘｉｎｇ：ＴＤＤ）方式を利用する移動通信システムにおいては、移動端末機の送受信チャンネルが周波数ではない時間により転換されるため、受信モード時には送信チャンネルは空になる。本発明に係る移動端末機自動制御装置は、このような時分割二重化方式を使用する移動通信システムの送受信チャンネルの時間上分離特徴を利用する。別途の自動制御信号伝送ラインなしに、受信モード時の空いているデータ伝送ラインを利用して自動制御信号を移動端末機の送受信モジュールに伝達する。
【００４４】
本発明に係る移動端末機自動制御装置においては、図１に示したように、送信データライン５００及び受信データライン６００に連結されているベースバンドモデム２００及びＲＦ処理モジュール１００から構成される。
【００４５】
又、前記ベースベンドモデムは、送受信データを変復調するためのアナログ／デジタル−デジタル／アナログコンバータ（ＡＤＣ／ＤＡＣ）２５０及び該アナログ／デジタル−デジタル／アナログコンバータ２５０を制御して自動制御信号を生成するための制御ユニットから構成される。
【００４６】
又、前記ＲＦ処理モジュール１００は、送受信データを処理するための送受信ユニット１２０、発振周波数を生成するための発振器（ＴＣＸＯ）１７０及び前記ベースバンドモデムから受信される送信データと自動制御信号を選択的に供給するためのスイッチ３００から構成される。
【００４７】
上記のように構成される本発明に係る自動制御装置においては、移動端末機が送信モードにある場合、前記アナログ／デジタル−デジタル／アナログコンバータ２５０によりアナログ信号に変換された送信データは、前記送信データライン５００を通して前記ＲＦ処理モジュール１００に伝送される。送信データが入力されると、前記ＲＦ処理モジュール１００のスイッチ３００は、入力されたデータを前記送受信ユニット１２０に伝達して該送受信ユニット１２０により処理された後にアンテナを通して伝送される。
【００４８】
一方、移動端末機が送信モードから受信モードに転換されると、アンテナを通して受信された信号は、前記ＲＦ処理モジュール１００の送受信ユニット１２０により処理された後、前記受信データライン６００を通して前記ベースバンドモデム２００に伝達される。移動端末機の受信モード時に前記送信データライン５００は空になることで、前記ベースバンドモデム２００は、自動制御信号を生成してアナログ／デジタル−デジタル／アナログコンバータ２５０を制御して前記自動制御信号をアナログ信号に変換した後、前記空いている送信データライン５００を通して前記ＲＦ処理モジュール１００のスイッチに送る。前記スイッチは、自動制御信号を種類に従って自動周波数信号（ＡＦＣ）は発振器１７０に伝達し、自動電力制御（ＡＰＣ）信号及び自動利得制御（ＡＧＣ）信号は前記送受信ユニット１２０の該当素子に伝達する。
【００４９】
前記各自動制御信号は、移動端末機の受信モード時に送信データラインを利用してＲＦ処理モジュールに伝送されるため、ダウンリンクタイムスロットの後半部データシンボルタイム（Ｄａｔａ  ｓｙｍｂｏｌ  ｐｅｒｉｏｄ）が終わる前に自動制御信号水準を予め決定しておくことができる。
【００５０】
又、本発明に係る移動端末機の自動制御方法においては、図２に示したように、一旦移動端末機が受信モードに転換されると（Ｓ１０）、ベースバンドモデムは、上位階層アプリケーションからの自動制御命令があるかを判断し（Ｓ１１）、自動制御命令によってアナログ自動制御信号を生成し（Ｓ１２）、送信データライン５００を通してＲＦ処理モジュール１００に伝達する（Ｓ１３）。次いで、前記自動制御信号が受信されると、前記ＲＦ処理モジュールのスイッチは、前記自動制御信号の種類を判断して自動制御信号の種類に従って自動周波数制御（ＡＦＣ）信号は発振器１７０に伝達し、自動電力制御（ＡＰＣ）信号及び自動利得制御（ＡＧＣ）信号は、送受信ユニット１２０の該当素子に伝達する（Ｓ１４）。従って、前記ＲＦ処理モジュールは、前記自動制御信号に基づいて送信チャンネルの品質を調整する（Ｓ１５）。
【００５１】
このように、時分割二重化（ＴＤＤ）方式移動通信システム用移動端末機において、基地局から受信された制御情報を利用して自動制御信号を発生させて前記移動端末機の受信モード時に前記自動制御信号を該当素子に伝達するベースバンドモデムを包含して移動端末機の自動制御システムを包含してを製造する。
【００５２】
【発明の効果】
以上説明したように、本発明に係る移動端末機の自動制御装置及びその方法においては、別途の自動制御信号のための制御ラインなしに、移動端末機の受信モード時に空いている送信データラインを通して自動制御信号を送るため、ベースバンドモデムとＲＦ処理モジュール間の送信データラインの活用度を向上し得るし、従来の自動制御装置における自動制御信号伝達のための制御ラインは勿論、ＰＷＭ信号をＤＣ信号に変換するためのフィルターが不必要であるため、基板上の他の素子装着のための空間を確保し得ることで、移動端末機を小型化し得るという効果がある。
【００５３】
又、前記各自動制御信号は、移動端末機の受信モード時に送信データラインを利用してＲＦ処理モジュールに伝送されるため、ダウンリンクタイムスロットの後半部データシンボルタイム（Ｄａｔａ  ｓｙｍｂｏｌ  ｐｅｒｉｏｄ）が終わる前に自動制御信号水準を予め決定し得るという効果がある。
【００５４】
且つ、本発明に係るＲＦ処理モジュールにアナログ信号に変換された自動制御信号を該当素子にスイッチングするために設置されるスイッチは、従来のＰＷＭ信号をＤＣ信号に変換するために各受動素子から構成されるフィルターとは異なって、具現上簡単であるため、ＲＦ処理モジュールと共に一つのチップに容易に統合し得るという効果がある。
【図面の簡単な説明】
【図１】本発明に係るＴＤ−ＳＣＤＭＡ端末機の自動制御装置を示したブロック図である。
【図２】本発明に係るＴＤ−ＳＣＤＭＡ端末機の自動制御方法を示したフローチャートである。
【図３】ＴＤ−ＳＣＤＭＡシステムに適用されるフレームフォーマットを示した図である。
【図４】従来のＴＤ−ＳＣＤＭＡ端末機の自動制御装置を示したブロック図である。
【符号の説明】
１０    ＲＦ処理モジュール
１２    送受信ユニット
１５    フィルター
１７    発振器
２０    ベースバンドモデム
２２    制御ユニット
２５    コンバータ
３１    制御ライン
３２    制御ライン
３３    制御ライン
１００  ＲＦ処理モジュール
１２０  送受信ユニット
１７０  発振器
２００  ベースバンドモデム
２２０  制御ユニット
２５０  コンバータ
５００  送信データライン
６００  受信データライン
【図１】
2004173223.tif 000003
【図２】
2004173223.tif 000004
【図３】
2004173223.tif 000005
【図４】
2004173223.tif 000006